Podtech/llm-jp-corpus-v4-ja_patent huggingface dataset:
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
急性冠状動脈事象を発症する変更された危険性を有する個体を同定するのを支援する方法、またはスタチン処置に応答する個体の可能性を評価するのを支援する方法であって、該方法が、
該個体の核酸のサンプルにおけるＳＮＰの対立遺伝子の存在または非存在を検出する工程
を包含し、ここで該ＳＮＰは、配列番号２６３の１０１位によって示され、そして該対立遺伝子の存在または非存在は、急性冠状動脈事象を発症する個体の危険性またはスタチン処置に応答する可能性に相関する、方法。
【請求項２】
前記個体の核酸と検出試薬とを接触させる工程、およびどのヌクレオチドが、特定されたＳＮＰ位置に存在するかまたは存在しないかを決定する工程を包含する、請求項１に記載の方法。
【請求項３】
前記核酸は、前記個体の血液細胞から調製される、請求項２に記載の方法。
【請求項４】
前記検出試薬は、ポリヌクレオチドプローブである、請求項２に記載の方法。
【請求項５】
前記プローブの３’末端は、前記核酸におけるＳＮＰにハイブリダイズする、請求項４に記載の方法。
【請求項６】
前記プローブは、レポーター色素によって標識される、請求項４に記載の方法。
【請求項７】
核酸分子における配列番号２６３の１０１位によって示される一塩基多型（ＳＮＰ）を検出する方法であって、
試験サンプルと、ストリンジェントなハイブリダイゼーション条件下で配列番号２６３のヌクレオチド配列におけるＳＮＰに特異的にハイブリダイズする試薬とを接触させる工程、ならびに
ハイブリダイズした二重鎖の形成を検出する工程
を包含する、方法。
【請求項８】
前記検出は、対立遺伝子特異的プローブハイブリダイゼーション、対立遺伝子特異的プライマー伸長、対立遺伝子特異的増幅、配列決定、５’ヌクレアーゼ消化、分子ビーコンアッセイ、オリゴヌクレオチドライゲーションアッセイ、サイズ分析、および一本鎖立体配座多型からなる群より選択される工程によって行なわれる、請求項７に記載の方法。
【請求項９】
急性冠状動脈事象を発症する変更された危険性を有する個体を同定するのを支援する方法、またはスタチン処置に応答する個体の可能性を評価するのを支援する方法であって、該方法が、
該個体の核酸のサンプルにおける多型の存在または非存在を検出する工程
を包含し、該多型は、配列番号２６３のヌクレオチド配列における１０１位によって示されるＳＮＰとの連鎖不均衡に存在し、そして該多型の存在または非存在は、急性冠状動脈事象を発症する個体の危険性またはスタチン処置に応答する可能性に相関する、方法。
【請求項１０】
個体において心臓血管障害を処置する方法であって、該方法が、
配列番号２６３の１０１位によって示されるＳＮＰの存在または非存在によって予測されるようなスタチン処置に応答する該個体の可能性に基づいて有効な量のスタチン
を含む
、方法。
【請求項１１】
ＳＮＰ含有核酸分子によってコードされる改変タンパク質を検出するための試薬であって、該試薬は、別の核酸分子によってコードされるタンパク質と比較して、該改変タンパク質に選択的に結合し、ここで該ＳＮＰ含有核酸分子は、配列番号２６３の配列番号１０１によって示されるＳＮＰを含む、試薬。
【請求項１２】
前記試薬は、抗体、抗体フラグメント、アプタマー、ペプチド、リガンドまたは低分子化合物である、請求項１１に記載の試薬。
【請求項１３】
前記試薬は、レポーター色素または造影剤によって標識される、請求項１２に記載の試薬。
【請求項１４】
請求項１１に記載の試薬および緩衝液を備える、キット。
【請求項１５】
増幅されたポリヌクレオチドであって、該増幅されたポリヌクレオチドが、配列番号２６３またはその相補体の１０１位によって示される一塩基多型（ＳＮＰ）を含み、ここで、該増幅されたポリヌクレオチドが、約１６ヌクレオチドと約１，０００ヌクレオチドとの間の長さである、増幅されたポリヌクレオチド。
【請求項１６】
前記ヌクレオチド配列は、配列番号２６３のヌクレオチド配列を含む、請求項１５に記載の増幅されたポリヌクレオチド。
【請求項１７】
配列番号２６３のヌクレオチド配列における１０１位によって示される一塩基多型（ＳＮＰ）を含む核酸分子に特異的にハイブリダイズする、単離されたポリヌクレオチド。
【請求項１８】
８ヌクレオチド〜７０ヌクレオチドの長さである、請求項１７に記載のポリヌクレオチド。
【請求項１９】
対立遺伝子特異的プローブである、請求項１７に記載のポリヌクレオチド。
【請求項２０】
対立遺伝子特異的プライマーである、請求項１７に記載のポリヌクレオチド。
【請求項２１】
核酸における一塩基多型（ＳＮＰ）を検出するためのキットであって、請求項１７に記載のポリヌクレオチド、緩衝液、および酵素を備える、キット。
【請求項２２】
配列番号２６３からなるアミノ酸配列を含む、単離されたポリペプチド。
【請求項２３】
前記ポリペプチドは、配列番号２６３からなるアミノ酸配列を有する、請求項２２に記載の単離されたポリペプチド。
【請求項２４】
請求項２２に記載のポリペプチドに選択的に結合する、抗体。
【請求項２５】
心筋梗塞を治療的もしくは予防的に処置するのに有用な薬剤を同定するための方法であって、該方法が、候補薬剤に請求項２４に記載のポリペプチドを、該ポリペプチドと該候補薬剤との間に結合複合体を形成させるために適切な条件下で接触させる工程、ならびに該結合複合体の形成を検出する工程を包含し、ここで、該複合体の存在が、該薬剤を同定する、方法。
【手続補正書】
【提出日】平成21年9月28日(2009.9.28)
【手続補正１】
【補正対象書類名】特許請求の範囲
【補正対象項目名】全文
【補正方法】変更
【補正の内容】
【特許請求の範囲】
【請求項１】
インベルターゼをコードするコード配列を含む、コーヒー（コフィア種）から単離された核酸分子。
【請求項２】
インベルターゼが細胞壁型インベルターゼ、液胞型インベルターゼ又は中性インベルターゼである、請求項１に記載の核酸分子。
【請求項３】
インベルターゼが細胞壁型インベルターゼであり、アミノ酸配列ＷＥＣＰＤＦを有する保存されたドメインを含む、請求項２に記載の核酸分子。
【請求項４】
インベルターゼが、配列番号９と５５％を超えて同一であるアミノ酸配列を含む、請求項３に記載の核酸分子。
【請求項５】
インベルターゼが配列番号９を含む、請求項４に記載の核酸分子。
【請求項６】
配列番号１を含む、請求項５に記載の核酸分子。
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
ａ）アセチル−ＣｏＡからアセトアセチル−ＣｏＡへ、
ｂ）アセトアセチル−ＣｏＡから３−ヒドロキシブチリル−ＣｏＡへ、
ｃ）３−ヒドロキシブチリル−ＣｏＡからクロトニル−ＣｏＡへ、
ｄ）クロトニル−ＣｏＡからブチリル−ＣｏＡへ、
ｅ）ブチリル−ＣｏＡからブチルアルデヒドへ、および
ｆ）ブチルアルデヒドから１−ブタノールへ、よりなる群から選択される、基質から産物への変換を触媒するポリペプチドをコードする少なくとも１つのＤＮＡ分子を含んでなる組み換え微生物宿主細胞であって、
少なくとも１つのＤＮＡ分子が前記微生物宿主細胞に対して異種であり、前記微生物宿主細胞が１−ブタノールを生成する、上記組み換え微生物宿主細胞。
【請求項２】
アセチル−ＣｏＡからアセトアセチル−ＣｏＡへの基質から産物への変換を触媒するポリペプチドがアセチル−ＣｏＡアセチルトランスフェラーゼである請求項１に記載の宿主細胞。
【請求項３】
アセトアセチル−ＣｏＡから３−ヒドロキシブチリル−ＣｏＡへの基質から産物への変換を触媒するポリペプチドが３−ヒドロキシブチリル−ＣｏＡデヒドロゲナーゼである請求項１に記載の宿主細胞。
【請求項４】
３−ヒドロキシブチリル−ＣｏＡからクロトニル−ＣｏＡへの基質から産物への変換を触媒するポリペプチドがクロトナーゼである請求項１に記載の宿主細胞。
【請求項５】
クロトニル−ＣｏＡからブチリル−ＣｏＡへの基質から産物への変換を触媒するポリペプチドがブチリル−ＣｏＡデヒドロゲナーゼである請求項１に記載の宿主細胞。
【請求項６】
ブチリル−ＣｏＡからブチルアルデヒドへの基質から産物への変換を触媒するポリペプチドがブチルアルデヒドデヒドロゲナーゼである請求項１に記載の宿主細胞。
【請求項７】
ブチルアルデヒドから１−ブタノールへの基質から産物への変換を触媒するポリペプチドがブタノールデヒドロゲナーゼである請求項１に記載の宿主細胞。
【請求項８】
細胞が、細菌、ラン藻、糸状菌、および酵母よりなる群から選択される請求項１〜７のいずれか１項に記載の宿主細胞。
【請求項９】
細胞が、クロストリジウム（Ｃｌｏｓｔｒｉｄｉｕｍ）、ザイモモナス（Ｚｙｍｏｍｏｎａｓ）、エシェリキア（Ｅｓｃｈｅｒｉｃｈｉａ）、サルモネラ（Ｓａｌｍｏｎｅｌｌａ）、ロドコッカス（Ｒｈｏｄｏｃｏｃｃｕｓ）、シュードモナス（Ｐｓｅｕｄｏｍｏｎａｓ）、バチルス（Ｂａｃｉｌｌｕｓ）、乳酸桿菌（Ｌａｃｔｏｂａｃｉｌｌｕｓ）、腸球菌（Ｅｎｔｅｒｏｃｏｃｃｕｓ）、アルカリゲネス（Ａｌｃａｌｉｇｅｎｅｓ）、クレブシエラ（Ｋｌｅｂｓｉｅｌｌａ）、パエニバチルス（Ｐａｅｎｉｂａｃｉｌｌｕｓ）、アルスロバクター（Ａｒｔｈｒｏｂａｃｔｅｒ）、コリネバクテリウム（Ｃｏｒｙｎｅｂａｃｔｅｒｉｕｍ）、ブレビバクテリウム（Ｂｒｅｖｉｂａｃｔｅｒｉｕｍ）、ピヒア（Ｐｉｃｈｉａ）、カンジダ（Ｃａｎｄｉｄａ）、ハンゼヌラ（Ｈａｎｓｅｎｕｌａ）、およびサッカロミセス（Ｓａｃｃｈａｒｏｍｙｃｅｓ）よりなる群から選択される属のメンバーである請求項８に記載の宿主細胞。
【請求項１０】
細胞が大腸菌（Ｅｓｃｈｅｒｉｃｈｉａ  ｃｏｌｉ）、アルカリゲネス・ユートロファス（Ａｌｃａｌｉｇｅｎｅｓ  ｅｕｔｒｏｐｈｕｓ）、バチルス・リチェニホルミス（Ｂａｃｉｌｌｕｓ  ｌｉｃｈｅｎｉｆｏｒｍｉｓ）、パエニバチルス・マセランス（Ｐａｅｎｉｂａｃｉｌｌｕｓ  ｍａｃｅｒａｎｓ）、ロドコッカス・エリスロポリス（Ｒｈｏｄｏｃｏｃｃｕｓ  ｅｒｙｔｈｒｏｐｏｌｉｓ）、シュードモナス・プチダ（Ｐｓｅｕｄｏｍｏｎａｓ  ｐｕｔｉｄａ）、枯草菌（Ｂａｃｉｌｌｕｓ  ｓｕｂｔｉｌｉｓ）、ラクトバチルス・プランタルム（Ｌａｃｔｏｂａｃｉｌｌｕｓ  ｐｌａｎｔａｒｕｍ）、エンテロコッカス・フェシウム（Ｅｎｔｅｒｏｃｏｃｃｕｓ  ｆａｅｃｉｕｍ）、エンテロコッカス・ガリナラム（Ｅｎｔｅｒｏｃｏｃｃｕｓ  ｇａｌｌｉｎａｒｕｍ）、エンテロコッカス・フェカーリス（Ｅｎｔｅｒｏｃｏｃｃｕｓ  ｆａｅｃａｌｉｓ）、およびサッカロミセス・セレヴィシエ（Ｓａｃｃｈａｒｏｍｙｃｅｓ  ｃｅｒｅｖｉｓｉａｅ）よりなる群から選択される請求項９に記載の宿主細胞。
【請求項１１】
アセチル−ＣｏＡアセチルトランスフェラーゼが、配列番号２、配列番号４、配列番号１２９、配列番号１３１、および配列番号１３３よりなる群から選択されるアミノ酸配列を有する請求項２に記載の宿主細胞。
【請求項１２】
３−ヒドロキシブチリル−ＣｏＡデヒドロゲナーゼが、配列番号６、配列番号１３５、配列番号１３７、および配列番号１３９よりなる群から選択されるアミノ酸配列を有する請求項３に記載の宿主細胞。
【請求項１３】
クロトナーゼが、配列番号８、配列番号１４１、配列番号１４３、および配列番号１４５よりなる群から選択されるアミノ酸配列を有する請求項４に記載の宿主細胞。
【請求項１４】
ブチリル−ＣｏＡデヒドロゲナーゼが、配列番号１０、配列番号１４７、配列番号１４９、配列番号１５１、および配列番号１８７よりなる群から選択されるアミノ酸配列を有する請求項５に記載の宿主細胞。
【請求項１５】
ブチルアルデヒドデヒドロゲナーゼが、配列番号１２、配列番号１５３、および配列番号１８９よりなる群から選択されるアミノ酸配列を有する請求項６に記載の宿主細胞。
【請求項１６】
ブタノールデヒドロゲナーゼが、配列番号１４、配列番号１６、配列番号１５３、配列番号１５５、および配列番号１５７よりなる群から選択されるアミノ酸配列を有する請求項７に記載の宿主細胞。
【請求項１７】
宿主細胞が通性嫌気性菌である請求項１〜７のいずれか１項に記載の宿主細胞。
【請求項１８】
ｉ）請求項１〜１７のいずれか１項に記載の組み換え微生物宿主細胞を提供し、そして
ii）１−ブタノールが生成される条件下で、（ｉ）の宿主細胞と発酵性炭素基質とを接触させる
ことを含んでなる１−ブタノールの生成方法。
【請求項１９】
発酵性炭素基質が、単糖類、オリゴ糖類、および多糖類よりなる群から選択される請求項１８に記載の方法。
【請求項２０】
炭素基質が、グルコース、スクロース、およびフルクトースよりなる群から選択される請求項１８に記載の方法。
【請求項２１】
１−ブタノールが生成される条件が嫌気性条件である請求項１８に記載の方法。
【請求項２２】
１−ブタノールが生成される条件が微好気的条件である請求項１８に記載の方法。
【請求項２３】
宿主細胞が最少培地中で炭素基質と接触する請求項１８に記載の方法。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
ｓｈＲＮＡがＲＮＡ干渉（ＲＮＡｉ）を媒介する能力を高めるための方法であって、
（ｉ）少なくとも２１ヌクレオチド長のアンチセンスステム部分と、センスステム部分とを含む二本鎖ステムを含むｓｈＲＮＡを提供するステップと；
（ｉｉ）前記ｓｈＲＮＡがＲＮＡｉを媒介する能力を高めるように、アンチセンス鎖部分の５’末端における塩基対とセンス鎖部分の３’末端の対応する塩基対と間の塩基対の力を弱めることによって、前記ステムの非対称性を高めるステップと、を含み、前記塩基対の力は、アンチセンス鎖部分の５’末端から３位の塩基対の修飾よって弱くなる、方法。
【請求項２】
前記修飾は、
（ａ）アンチセンス鎖部分の５’末端から３位に導入されているミスマッチの塩基対；または、
（ｂ）アンチセンス鎖部分の５’末端から３位に導入されている希少ヌクレオチド；または、
（ｃ）アンチセンス鎖部分の５’末端から３位に導入されている修飾されたヌクレオチド；および、
（ｄ）アンチセンス鎖部分の５’末端から３位に導入されているゆらぎ塩基対、を含む、請求項１に記載の方法。
【請求項３】
（ａ）前記ミスマッチの塩基対は、
（ｉ）Ｇ：Ａ、Ｃ：Ａ、Ｃ：Ｕ、Ｇ：Ｇ、Ａ：Ａ、Ｃ：Ｃ、およびＵ：Ｕ、もしくは、
（ｉｉ）Ｇ：Ａ、Ｃ：Ａ、Ｃ：Ｔ、Ｇ：Ｇ、Ａ：Ａ、Ｃ：Ｃ、およびＵ：Ｔのいずれかからなる群から選択され、または、
（ｂ）前記希少ヌクレオチドは、
（ｉ）前記希少ヌクレオチドは、イノシン（Ｉ）である；もしくは、
（ｉｉ）前記塩基対は、Ｉ：Ａ、Ｉ：Ｕ、およびＩ：Ｃからなる群から選択され、または、
（ｃ）前記修飾されたヌクレオチドは、２−アミノ−Ｇ、２−アミノ−Ａ、２，６−ジアミノ−Ｇ、および２，６−ジアミノ−Ａからなる群から選択され；または、
（ｄ）前記ゆらぎ塩基対は、Ｇ：ＵもしくはＧ：Ｔである、
請求項２に記載の方法。
【請求項４】
前記ｓｈＲＮＡは、機能獲得型の突然変異対立遺伝子に標的化される、請求項１に記載の方法。
【請求項５】
少なくとも２１ヌクレオチド長のアンチセンスステム部分と、センスステム部分とを含む二本鎖ステムを含む非対称ｓｈＲＮＡであって、アンチセンス鎖部分の５’末端における塩基対が、センス鎖部分の３’末端の対応する塩基対と間の塩基対の力より弱い、非対称ｓｈＲＮＡであって、
アンチセンス鎖部分の５’末端とセンス鎖部分の３’末端との間のＧ：Ｃ塩基対が、アンチセンス鎖部分の３’末端とセンス鎖部分の５’末端との間より少ないために、前記塩基対の力は弱められ、
前記非対称性は、アンチセンス鎖部分の５’末端における塩基対と、センス鎖部分の３’末端の対応する塩基対と間の塩基対の力を弱めることによって高められ、
さらに、前記塩基対の力は、アンチセンス鎖部分の５’末端から３位の塩基対の修飾よって弱くなる、非対称ｓｈＲＮＡ。
【請求項６】
前記修飾は、
（ａ）アンチセンス鎖部分の５’末端から３位に導入されているミスマッチの塩基対；または、
（ｂ）アンチセンス鎖部分の５’末端から３位に導入されている希少ヌクレオチド；または、
（ｃ）アンチセンス鎖部分の５’末端から３位に導入されている修飾されたヌクレオチド；または、
（ｄ）アンチセンス鎖部分の５’末端から３位に導入されているゆらぎ塩基対、を含む、請求項５に記載のｓｈＲＮＡ。
【請求項７】
（ａ）前記ミスマッチの塩基対は、
（ｉ）Ｇ：Ａ、Ｃ：Ａ、Ｃ：Ｕ、Ｇ：Ｇ、Ａ：Ａ、Ｃ：Ｃ、およびＵ：Ｕ、もしくは、
（ｉｉ）Ｇ：Ａ、Ｃ：Ａ、Ｃ：Ｔ、Ｇ：Ｇ、Ａ：Ａ、Ｃ：Ｃ、およびＵ：Ｔからなる群から選択される、または、
（ｂ）少なくとも１つの塩基対は、希少ヌクレオチドを含み、
（ｉ）前記希少ヌクレオチドは、イノシン（Ｉ）である；もしくは、
（ｉｉ）前記塩基対は、Ｉ：Ａ、Ｉ：Ｕ、およびＩ：Ｃからなる群から選択されるかのいずれかであり、または、
（ｃ）前記修飾されたヌクレオチドは、２−アミノ−Ｇ、２−アミノ−Ａ、２，６−ジアミノ−Ｇ、および２，６−ジアミノ−Ａからなる群から選択され；
（ｄ）前記ゆらぎ塩基対は、Ｇ：ＵもしくはＧ：Ｔである、
請求項６に記載のｓｈＲＮＡ。
【請求項８】
前記ｓｈＲＮＡは、機能獲得型の突然変異対立遺伝子に標的化される、請求項５乃至７のいずれか１項に記載のｓｈＲＮＡ。
【請求項９】
前記対立遺伝子は、優性の機能獲得型突然変異に関連する障害と相関している、請求項８に記載のｓｈＲＮＡ。
【請求項１０】
前記障害が、筋萎縮性側策硬化症、ハンチントン病、アルツハイマー病、およびパーキンソン病からなる群から選択される、請求項９に記載のｓｈＲＮＡ。
【請求項１１】
前記疾患は、筋萎縮性側策硬化症であり、前記対立遺伝子は、ＳＯＤ１であり；任意に、前記突然変異対立遺伝子は、点突然変異を含み；任意に前記点突然変異は、グアニン：シトシン突然変異；Ｇ２５６Ｃ；およびＧ２８１Ｃからなる群から選択される、請求項１０に記載のｓｈＲＮＡ。
【請求項１２】
治療に用いられる、請求項８乃至１１のいずれか１項に記載のｓｈＲＮＡ。
【請求項１３】
前記ｓｈＲＮＡは、Ｓ３−２１である、図１４に記載の配列を含む、ｓｈＲＮＡ。
【請求項１４】
請求項５乃至１３のいずれかに記載のｓｈＲＮＡを含む、ｓｈＲＮＡの細胞への移行を促進するために作られた、組成物。
【請求項１５】
請求項５乃至１３のいずれかに記載のｓｈＲＮＡをコードする作製物、または請求項１４に記載の組成物。
【請求項１６】
請求項５乃至１３のいずれかに記載のｓｈＲＮＡ、請求項１４に記載の組成物、または請求項１５に記載の作製物を含む、薬学的組成物。
【請求項１７】
前記細胞に前記ｓｈＲＮＡを導入することによって、遺伝子の少なくとも２つの異なる対立遺伝子を含む標的対立遺伝子の細胞中での発現を阻害する方法に使用するためのｓｈＲＮＡであって、任意に、前記ｓｈＲＮＡは、作製物から前記細胞において発現されるか、または前記細胞を前記ｓｈＲＮＡと接触させることによって導入される、請求項５乃至１３のいずれか１項に記載のｓｈＲＮＡ。
【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
単離または合成ジヌクレオチドアナログ、その塩またはエステルであって、前記ジヌクレオチドアナログ配列中の塩基残基として１つの５−アザ−シトシンを含み、前記ジヌクレオチドが、一般式：
Ｚ−Ｌ−Ｇ、またはＧ−Ｌ−Ｚ
（式中、Ｚは５−アザ−シトシンであり、Ｇはグアニンであり、ＬはＺおよびＧに共有結合した化学的リンカーである）
を有する単離または合成ジヌクレオチドアナログ、その塩またはエステル。
【請求項２】
前記ジヌクレオチドアナログが、５’−ＤｐＧ−３’または５’−ＧｐＤ−３’であり、ここで、Ｄはデシタビンであり、ｐはホスホリンカーであり、Ｇはデオキシグアノシンである、請求項１に記載のジヌクレオチドアナログ。
【請求項３】
前記リンカーＬが、糖ホスホロジエステルリンカーである、請求項１に記載のジヌクレオチドアナログ。
【請求項４】
前記リンカーＬが、リボースまたは２’−デオキシリボースホスホロジエステルリンカーである、請求項１に記載のジヌクレオチドアナログ。
【請求項５】
前記リンカーＬが、リボースまたは２’−デオキシリボースホスホロチオエートリンカーである、請求項１に記載のジヌクレオチドアナログ。
【請求項６】
前記リンカーＬが、リボースまたは２’−デオキシリボースボラノホスフェートリンカーである、請求項１に記載のジヌクレオチドアナログ。
【請求項７】
前記リンカーＬが、リボースまたは２’−デオキシリボースメチルホスホネートリンカーである、請求項１に記載のジヌクレオチドアナログ。
【請求項８】
前記リンカーＬが、２’−メトキシリボースホスホロジエステルリンカーである、請求項１に記載のジヌクレオチドアナログ。
【請求項９】
前記リンカーＬが、２’−メトキシエチルリボースホスホロジエステルリンカーである、請求項１に記載のジヌクレオチドアナログ。
【請求項１０】
前記リンカーＬが、２’−フルオロリボースホスホロジエステルリンカーである、請求項１に記載のジヌクレオチドアナログ。
【請求項１１】
前記塩が、塩酸、臭化水素酸、硫酸、リン酸、カルボン酸、スルホン酸、スルホ酸またはホスホ酸、酢酸、プロピオン酸、グリコール酸、コハク酸、マレイン酸、ヒドロキシマレイン酸、メチルマレイン酸、フマル酸、リンゴ酸、酒石酸、乳酸、シュウ酸、グルコン酸、グルカル酸、グルクロン酸、クエン酸、安息香酸、桂皮酸、マンデル酸、サリチル酸、４−アミノサリチル酸、２−フェノキシ安息香酸、２−アセトキシ安息香酸、エンボン酸、ニコチン酸、イソニコチン酸、アミノ酸、グルタミン酸、アスパラギン酸、フェニル酢酸、メタンスルホン酸、エタンスルホン酸、２−ヒドロキシエタンスルホン酸、エタン−１，２−ジスルホン酸、ベンゼンスルホン酸、４−メチルベンゼンスルホン酸、ナフタレン−２−スルホン酸、ナフタレン−ｌ，５−ジスルホン酸、２−または３−ホスホグリセリン酸塩、グルコース−６−リン酸塩、Ｎ−シクロヘキシルスルファミン酸、およびアスコルビン酸からなる群から選択される酸を使用して形成される、請求項１に記載のジヌクレオチドアナログ。
【請求項１２】
前記塩が、塩酸塩、メシル酸塩、ＥＤＴＡ、亜硫酸塩、Ｌ−アスパラギン酸塩、マレイン酸塩、リン酸塩、Ｌ−グルタミン酸塩、（＋）−Ｌ−酒石酸塩、クエン酸塩、Ｌ−乳酸塩、コハク酸塩、酢酸塩、ヘキサン酸塩、酪酸塩、またはプロピオン酸塩である、請求項１に記載のジヌクレオチドアナログ。
【請求項１３】
前記塩が、ナトリウム塩、カルシウム塩、リチウム塩、カリウム塩、アンモニウム塩、またはトリアルキルアンモニウム塩である、請求項１に記載のジヌクレオチドアナログ。
【請求項１４】
前記塩が、トリアルキルアンモニウム塩であって、トリメチルアンモニウム塩、トリエチルアンモニウム塩、またはトリプロピルアンモニウム塩からなる、請求項１３に記載のジヌクレオチドアナログ。
【請求項１５】
前記ジヌクレオチドアナログが、５’末端または３’末端に、保護基で置換されたヒドロキシル基を有する、請求項１に記載のジヌクレオチドアナログ。
【請求項１６】
前記ジヌクレオチドアナログが、ジメトキシトリトキシル（ＤＭＴｒ−Ｏ）、Ｏ−メチル（ＯＭｅ）、エチレングリコール、テトラエチレングリコール、ヘキサエチレングリコール、およびヘキサエチレングリコールホスフェートからなる群から選択される非ヒドロキシル保護基を含む、請求項１に記載のジヌクレオチドアナログ。
【請求項１７】
請求項１に記載のジヌクレオチドアナログまたはその薬学的に許容可能な塩もしくはエステル、および薬学的に許容可能なキャリアを含む薬学的組成物。
【請求項１８】
請求項１に記載のジヌクレオチドアナログまたはその薬学的に許容可能な塩もしくはエステルが固体形態である、請求項１７に記載の薬学的組成物。
【請求項１９】
前記ジヌクレオチドアナログが、５’−ＤｐＧ−３’であり、ここで、Ｄはデシタビンであり、ｐはホスホリンカーであり、Ｇはデオキシグアノシンである、請求項１に記載のジヌクレオチドアナログ。
【手続補正２】
【補正対象書類名】明細書
【補正対象項目名】００６１
【補正方法】変更
【補正の内容】
【００６１】
上記実施形態のいずれかでは、Ｚ残基とＧ残基との間またはオリゴヌクレオチドアナログ中の塩基残基のいずれか２つの間のリンカーは、糖ホスホロジエステル結合である。好ましくは、リンカーは、ＤＮＡおよびＲＮＡ中の天然の糖ホスホロジエステル骨格のような２’−デオキシリボースまたはリボースを介したホスホロジエステル結合である。任意選択的に、ｉｎ  ｖｉｖｏでのヌクレアーゼ分解に対する耐性を増強するために、天然のホスホロジエステルリンカー−Ｏ−Ｐ（＝Ｏ-）−Ｏ−ＣＨ2−を、ホスホロチオエートリンカー−Ｏ−Ｐ（＝Ｏ）（Ｓ-）−Ｏ−ＣＨ2−、ボルノホスフェートリンカーまたはメチルホスホネートリンカーになるように修飾することができ、リボースの２’−ヒドロキシル基を２’メトキシ基、２’−メトキシエチル基、または２’−フルオロ基となるように修飾することができる。非天然骨格を有するこのようなオリゴヌクレオチドアナログの例を、図２４Ａに示す。この例は、リボースホスフェート骨格を介してグアノシンに結合している。同様に任意選択的に、天然の糖ホスホロジエステル骨格を、タンパク質ヌクレオチド（ＰＮＡ）骨格に置換することができ、この骨格は、ペプチド結合によって結合した反復Ｎ−（２−アミノエチル）−グリシン単位からできている。ＰＮＡ骨格を有するこのようなオリゴヌクレオチドアナログの例を、図２４Ｂに示す。この例は、５−アザ−シトシンがＰＮＡ骨格を介してグアニンに結合している。天然のオリゴヌクレオチドよりもヌクレアーゼ分解に対する耐性が高いように設計されたオリゴヌクレオチドのための他のリンカー型は、米国特許第６，９００，５４０号および同第６，９００，３０１号（本明細書中で参考として援用される）に記載されている。
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
３５以下のアミノ酸を有するポリペプチドを含む、非天然システイン（Ｃ）−含有タンパクであって、
前記ポリペプチドのアミノ酸の少なくとも１０％がシステインであり、
スカフォールド内のシステインを対合させることによって、少なくとも二つのジスルフィド結合が形成され、かつ前記対合は、１０を超える複合指数を生成する、非天然システイン（Ｃ）−含有タンパク。
【請求項２】
標的分子に特異的に結合する、請求項１に記載の非天然システイン（Ｃ）−含有タンパク。
【請求項３】
標識類、エフェクター類、抗体類、および半減期延長成分から成る群から選ばれる成分に接合される、請求項１に記載の非天然システイン（Ｃ）−含有タンパク。
【請求項４】
モノマーである、請求項１に記載の非天然システイン（Ｃ）−含有タンパク。
【請求項５】
マルチマーである、請求項１に記載の非天然システイン（Ｃ）−含有タンパク。
【請求項６】
前記タンパクが一タイプのスカフォールドを含む、請求項１に記載の非天然システイン（Ｃ）−含有タンパク。
【請求項７】
前記タンパクが一を超えるタイプのスカフォールドを含む、請求項１に記載の非天然システイン（Ｃ）−含有タンパク。
【請求項８】
前記タンパクが、標的結合部位および半減期延長成分を含む、請求項１に記載の非天然システイン（Ｃ）−含有タンパク。
【請求項９】
前記タンパクが、標的に結合する反復単位を含む、請求項１に記載の非天然システイン（Ｃ）−含有タンパク。
【請求項１０】
前記タンパクが、半減期延長成分を含み、前記成分が、血清アルブミン、ＩｇＧおよび赤血球から成る群から選ばれる１つ以上のものに結合することができる、請求項１に記載の非天然システイン（Ｃ）−含有タンパク。
【請求項１１】
対応する天然システイン（Ｃ）−含有タンパクまたはスカフォールドの天然標的と同一の標的に対して結合特異性を示す、非天然システイン（Ｃ）−含有タンパク。
【請求項１２】
２０−６０個のアミノ酸から成る単一ドメインを含む非天然タンパクであって、３個以上のジスルフィドを有し、ヒトの血清暴露タンパクに結合し、かつ５％未満の脂肪族アミノ酸を有する、非天然タンパク。
【請求項１３】
請求項１または１２に記載の非天然タンパクから成るライブラリー。
【請求項１４】
請求項１３のライブラリーを提示する遺伝子パッケージ。
【請求項１５】
請求項１に記載の非天然システイン（Ｃ）−含有タンパク、および、製薬学的に受容可能な担体を含む製薬組成物。
【請求項１６】
標的分子に対して結合特異性を示す非天然システイン（Ｃ）−含有スカフォールドであって、
【化１】
2009509535.tif 000001
から成る群から選ばれるパターンに従って、スカフォールド内システインを対合させることによって形成される三つのジスルフィド結合を有するポリペプチドを含み、前式において、ハイフンで結ばれる二つの数字は、前記ポリペプチドのＮ末端から数えて、どの二つのシステインがペア形成をしてジスルフィド結合を形成するかを示す、非天然システイン（Ｃ）−含有スカフォールド。
【請求項１７】
標的分子に対して結合特異性を示す非天然システイン（Ｃ）−含有スカフォールドであって、下記：
【化２】
2009509535.tif 000002
から選ばれるパターンに従って、スカフォールド内システインを対合させることによって形成される少なくとも四つのジスルフィド結合を有するポリペプチドを含み、
ここでＡに示される、ハイフンで結ばれる二つの数字は、ポリペプチドのＮ末端から数えて、どの二つのシステインがペア形成をしてジスルフィド結合を形成するかを示す、非天然システイン（Ｃ）−含有スカフォールド。
【請求項１８】
半減期延長成分を含む、請求項１６または１７に記載の非天然システイン（Ｃ）−含有スカフォールド。
【請求項１９】
前記半減期延長成分が、血清アルブミン、ＩｇＧおよび赤血球から成る群から選ばれる１つ以上のものに結合することができる、請求項１８に記載の非天然システイン（Ｃ）−含有スカフォールド。
【請求項２０】
対応する天然システイン（Ｃ）−含有タンパクまたはスカフォールドの天然標的とは異なる標的に対して結合特異性を示す、請求項１６または１７に記載の非天然システイン（Ｃ）−含有スカフォールド。
【請求項２１】
請求項１６または１７に記載の非天然システイン（Ｃ）−含有スカフォールドから成るライブラリー。
【請求項２２】
請求項２１のライブラリーを提示する遺伝子パッケージ。
【請求項２３】
標的と、遺伝子パッケージの上に提示される外来ポリペプチドとの間の特異的相互作用の存在を検出する方法であって、
（ｄ）請求項２２の遺伝子パッケージの提示を準備する工程、
（ｅ）安定なポリペプチド−標的複合体を生成するのに好適な条件下で前記遺伝子パッケージを前記標的と接触させる工程、および
（ｆ）遺伝子パッケージにおいて安定なポリペプチド−標的複合体の形成を検出し、それによって特異的相互作用の存在を検出する工程、
を含む、方法。
【請求項２４】
所望の性質を有するポリペプチドを提示する遺伝子パッケージを単離する工程をさらに含む、請求項２３に記載の方法。
【請求項２５】
前記遺伝子パッケージがファージである、請求項２２に記載の方法。
【請求項２６】
非天然システイン（Ｃ）−含有スカフォールドを生産する方法であって、
請求項１６−１７のいずれか一項に記載の非天然システイン（Ｃ）−含有スカフォールドをコードする核酸を含む宿主細胞を準備する工程、
前記核酸から、前記スカフォールドの発現を実現する条件下で、前記宿主細胞を適切な培養媒体において培養する工程、
を含む、方法。
【請求項２７】
前記媒体から前記スカフォールドを回収する工程をさらに含む、請求項２３に記載の方法。
【請求項２８】
請求項１６または１７に記載の非天然システイン（Ｃ）−含有スカフォールド、および製薬学的に受容可能な担体を含む製薬組成物。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
配列番号５のペプチド配列と特異的に結合する単離された抗体またはその抗原結合断片であって、膜結合型免疫グロブリンE（mIgE）以外の膜結合型免疫グロブリンと結合しない前記抗体またはその抗原結合断片。
【請求項２】
配列番号１、配列番号６、配列番号３および配列番号４のポリペプチドと結合しない、請求項１に記載の単離された抗体またはその抗原結合断片。
【請求項３】
請求項１または２に記載の単離された抗体またはその抗原結合断片であって、結合がA1c（配列番号50および51によりコードされた）およびB1（配列番号60および61によりコードされた）の可変領域を含む該抗体またその抗原結合断片により阻害されない前記抗体またはその断片。
【請求項４】
mIgEを発現するB細胞または形質細胞を枯渇させる、請求項１〜３のいずれか１項に記載の単離された抗体またはその抗原結合断片。
【請求項５】
抗体依存性細胞傷害活性を介して前記B細胞または形質細胞を枯渇させる、請求項４に記載の単離された抗体またはその抗原結合断片。
【請求項６】
(a)配列番号９のアミノ酸配列を含む可変軽鎖；
(b)配列番号１０のアミノ酸配列を含む可変重鎖；
(c)配列番号９のアミノ酸配列を含む可変軽鎖および配列番号１０のアミノ酸配列を含む可変重鎖；ならびに
(d)抗体D5からの配列番号１１〜１６の６つのCDR
からなる群より選択されるメンバーを含む、請求項１〜５のいずれか１項に記載の単離された抗体またはその抗原結合断片。
【請求項７】
(a)配列番号７２のアミノ酸配列を含む可変軽鎖；
(b)配列番号７３のアミノ酸配列を含む可変重鎖；
(c)配列番号７２のアミノ酸配列を含む可変軽鎖および配列番号７３のアミノ酸配列を含む可変重鎖；ならびに
(d)抗体F4からの配列番号７４〜７９の６つのCDR
からなる群より選択されるメンバーを含む、請求項１〜５のいずれか１項に記載の単離された抗体またはその抗原結合断片。
【請求項８】
(a)配列番号８１のアミノ酸配列を含む可変重鎖；ならびに
(b)抗体D9からの配列番号８２〜８４の３つのCDR
からなる群より選択されるメンバーを含む、請求項１〜５のいずれか１項に記載の単離された抗体またはその抗原結合断片。
【請求項９】
配列番号９、10、72、73および81からなる群より選択されるアミノ酸配列をコードする単離された核酸配列。
【請求項１０】
配列番号7、8、70、71および80からなる群より選択される少なくとも１つの核酸配列を含む、単離された細胞。
【請求項１１】
請求項１〜８のいずれか1項に記載の単離された抗体またはその抗原結合断片であって、該抗体または抗原結合断片がヒトまたはヒト化されたものである、前記抗体またはその抗原結合断片。
【請求項１２】
請求項１〜８または11のいずれか1項に記載の単離された抗体またはその抗原結合断片であって、該抗体または抗原結合断片が
(a)scFv；
(b)Fab断片；
(c)Fab'断片；
(d)F(ab)2；
(e)Fv；
(f)ジスルフィド連結されたFv；および
(g)二特異的抗体
からなる群より選択されるメンバーである、前記抗体またはその抗原結合断片。
【請求項１３】
請求項１〜８、１１または１２のいずれか１項に記載の単離された抗体またはその抗原結合断片を含む医薬組成物。
【請求項１４】
ヒトにおけるIgE介在性疾患を予防、改善、または治療するための請求項１３に記載の医薬組成物。
【請求項１５】
IgE介在性疾患が喘息である請求項１４に記載の医薬組成物。
【請求項１６】
IgE介在性疾患がアレルギー性疾患である請求項１４に記載の医薬組成物。
【請求項１７】
優性エピトープと結合しない抗体またはその抗原結合断片を製造する方法であって、
(a)選択前または後の抗体またはその抗原結合断片のライブラリーを、ポリペプチド上に存在する優性エピトープを認識する抗体またはその抗原結合断片により阻害されない抗体またはその抗原結合断片に対する優性エピトープを含む前記ポリペプチドと結合する抗体またはその抗原結合断片ついて、スクリーニングするステップ；および
(b)ステップ(a)から少なくとも１つの抗体またはその抗原結合断片を単離するステップを含んでなる前記方法。
【請求項１８】
ステップ(a)を優性エピトープを含むポリペプチドに結合する抗体またはその抗原結合断片の選択後に行う、請求項１７に記載の方法。
【請求項１９】
膜結合型免疫グロブリン上の優性エピトープでなくかつ隠されてないmigisエピトープと特異的に結合する抗体またはその抗原結合断片を製造する方法であって、
(a)migisエピトープを含むポリペプチドと結合するクローンを抗体またはその抗原結合断片のライブラリーから単離するステップ；
(b)ステップ(a)から単離したクローンを、migisエピトープを含む前記ポリペプチド上に存在する優性エピトープを認識する抗体またはその抗原結合断片により阻害されないこれらのクローンにについてスクリーニングするステップ；
(c)ステップ(b)で阻害されないクローンを、膜結合型免疫グロブリンを有する細胞と特異的に結合するこれらのクローンについてスクリーニングするステップ；
(d)ステップ(c)から少なくとも１つの抗体またはその抗原結合断片を単離するステップを含んでなる前記方法。
【請求項２０】
ステップ(c)の後に、ステップ(c)で特異的に結合するクローンを、膜結合型免疫グロブリンを有しない細胞と特異的に結合しないこれらのクローンについてスクリーニングするステップをさらに含む、請求項１９に記載の方法。
【手続補正書】
【提出日】平成21年7月8日(2009.7.8)
【手続補正１】
【補正対象書類名】明細書
【補正対象項目名】０１０１
【補正方法】変更
【補正の内容】
【０１０１】
このエラーの理論的評価は、実際の運動をその最初の調和を用いて近似し、時間起点をシフトさせることによりなされ得る。すなわち数式は（数９）となる。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
複数の較正画像セットを取得する工程、及び
前記較正画像セットからルックアップテーブルシステムを構築する工程であって、ルックアップテーブルシステムは、較正３次元データを計算するための１つ以上のパラメータと画像セットデータとを関連付ける工程を含む、方法。
【請求項２】
画像セットを取得する工程であって、各画像セットに前記画像セットの処理メッシュ内の位置と関連付けられている少なくとも１つの視差値が含まれる工程、
前記処理メッシュ内の位置及び前記少なくとも１つの視差値をルックアップテーブルシステムに適用する工程であって、ルックアップテーブルシステムは１つ以上のパラメータに対応する工程、及び
１つ以上のパラメータ及び視差値から較正３次元データを計算する工程を含む、方法。
【請求項３】
マルチチャネルイメージングシステムを較正する方法であって、
前記イメージングシステムの第１のチャネル用のモデルを割り出す工程、
画像データセットを得るとともに、前記画像データセットからのデータを前記モデルに適合することによって、第１のチャネルを較正する工程、及び
前記画像データセットの１つ以上の視差値を既知の深度にマッピングすることによって、第２のチャネルを較正する工程を含む、方法。
【請求項４】
複数の光学チャネルであって測定容量内の点に画像データを提供する光学チャネル、
メモリ内に格納されているルックアップテーブルであって深度依存性モデルの１つ以上のパラメータが格納されているルックアップテーブル、及び
前記画像データと前記ルックアップテーブルとから得た１つ以上のパラメータを適用して、較正アウトプットを復元させるように構成されているプロセッサを備える、イメージングシステム。
【請求項５】
イメージングシステムの較正を精密化する方法であって、
１つ以上の既知のパラメータを有する３次元物体を含む測定容量から画像データを得る工程、
前記画像データ内の前記３次元物体の第１の投影輪郭を識別する工程、
前記１つ以上の既知のパラメータと前記イメージングシステムのモデルを用いて前記３次元物体の第２の投影輪郭を分析的に割り出す工程、及び
前記第１の投影輪郭と前記第２の投影輪郭の偏差を最小化することによって、前記イメージングシステムの較正を精密化する工程を含む、方法。
【請求項６】
平面、
前記平面上で既知の位置を有する複数の基点、及び
前記複数の基点間のランダムパターンを備える、較正ターゲット。
【手続補正書】
【提出日】平成21年7月2日(2009.7.2)
【手続補正１】
【補正対象書類名】特許請求の範囲
【補正対象項目名】全文
【補正方法】変更
【補正の内容】
【特許請求の範囲】
【請求項１】
金属ナノワイヤーを合成する方法であって、
基板を提供するステップと、
金属フタロシアニンである有機金属層を前記基板上に堆積させるステップと、
前記有機金属層を有する前記基板を加熱することによって、前記基板上に金属ナノワイヤーを形成するステップと、
を含むことを特徴とする方法。
【請求項２】
前記基板は、酸化ケイ素、酸化アルミニウム、酸化マグネシウム、ガラス、マイカ、シリコン、繊維ガラス、テフロン（登録商標）、セラミック、プラスチック、水晶及びこれらの混合物からなる群から選択される
ことを特徴とする請求項１に記載の方法。
【請求項３】
前記基板は、酸化ケイ素である
ことを特徴とする請求項２に記載の方法。
【請求項４】
前記金属は、Ｖ族金属、ＶＩ族金属、ＶＩＩ族金属、ＶＩＩＩ族金属、ランタノイド、遷移金属及びこれらの混合物からなる群から選択される
ことを特徴とする請求項１に記載の方法。
【請求項５】
前記金属は、Ｆｅ、Ｖ、Ｎｂ、Ｃｒ、Ｗ、Ｍｏ、Ｍｎ、Ｒｅ、Ｃｏ、Ｎｉ、Ｒｕ、Ｒｈ、Ｐｄ、Ｏｓ、Ｉｒ、Ｐｔ、Ｃｅ、Ｅｕ、Ｅｒ、Ｙｂ、Ａｇ、Ａｕ、Ｚｎ、Ｃｄ、Ｓｃ、Ｙ、Ｌａ及びこれらの混合物からなる群から選択される
ことを特徴とする請求項４に記載の方法。
【請求項６】
前記金属は、Ｆｅである
ことを特徴とする請求項５に記載の方法。
【請求項７】
前記金属は、Ｎｉである
ことを特徴とする請求項５に記載の方法。
【請求項８】
前記有機金属層は、前記基板上に金属フタロシアニンの溶液を配置し、加熱して薄膜を形成することによって堆積する
ことを特徴とする請求項１に記載の方法。
【請求項９】
前記溶液は、金属フタロシアニン及び水素フタロシアニンを、約１：２０から約２０：１の比で含有する
ことを特徴とする請求項８に記載の方法。
【請求項１０】
前記加熱は、約５００℃から約６００℃の温度まで行われる
ことを特徴とする請求項８に記載の方法。
【請求項１１】
前記加熱は、真空下で行われる
ことを特徴とする請求項１０に記載の方法。
【請求項１２】
前記有機金属層は、約１μｍから約３０μｍの間の厚みを有する
ことを特徴とする請求項１に記載の方法。
【請求項１３】
前記基板上に堆積する前記有機金属層を加熱するステップは、約４５０℃から約５００℃の間の温度で、前記有機金属層を空気に露出するステップを含む
ことを特徴とする請求項１に記載の方法。
【請求項１４】
他のガスをさらに含有する
ことを特徴とする請求項１３に記載の方法。
【請求項１５】
前記他のガスは、水素、ヘリウム、アルゴン、ネオン、クリプトン、キセノン及びこれらの混合物からなる群から選択される
ことを特徴とする請求項１４に記載の方法。
【請求項１６】
金属ナノワイヤーを合成する方法であって、
基板を提供するステップと、
鉄フタロシアニン、ニッケルフタロシアニン又はこれらの混合物である有機金属層を前記基板上に堆積させるステップと、
前記有機金属層を有する前記基板を加熱することによって、前記基板上に金属ナノワイヤーを形成するステップと、
を含むことを特徴とする方法。
【請求項１７】
前記基板は、酸化ケイ素、酸化アルミニウム、酸化マグネシウム、ガラス、マイカ、シリコン、繊維ガラス、テフロン（登録商標）、セラミック、プラスチック、水晶及びこれらの混合物からなる群から選択される
ことを特徴とする請求項１６に記載の方法。
【請求項１８】
前記基板は、酸化ケイ素である
ことを特徴とする請求項１７に記載の方法。
【請求項１９】
前記有機金属層は、前記基板上に金属フタロシアニンの溶液を配置し、加熱して薄膜を形成することによって堆積する
ことを特徴とする請求項１６に記載の方法。
【請求項２０】
前記溶液は、金属フタロシアニン及び水素フタロシアニンを約１：２０から約２０：１の比率で含有する
ことを特徴とする請求項１９に記載の方法。
【請求項２１】
前記加熱は、真空下で約５００℃から約６００℃の温度まで行われる
ことを特徴とする請求項１９に記載の方法。
【請求項２２】
前記有機金属層は、約１μｍから約３０μｍの間の厚みを有する
ことを特徴とする請求項１６に記載の方法。
【請求項２３】
前記基板上に堆積した前記有機金属層を加熱するステップは、約４５０℃から約５００℃の間の温度で前記有機金属層を空気に露出するステップを含む
ことを特徴とする請求項１６に記載の方法。
【請求項２４】
水素、ヘリウム、アルゴン、ネオン、クリプトン、キセノン及びこれらの混合物からなる群から選択される他のガスをさらに含有する
ことを特徴とする請求項２３に記載の方法。
【請求項２５】
金属ナノワイヤーを合成する方法であって、
基板を提供するステップと、
鉄フタロシアニン、ニッケルフタロシアニン又はこれらの混合物である有機金属層を、約１：２０から約２０：１の比率の金属フタロシアニン及び水素フタロシアニンの溶液を前記基板上に配置し、加熱して薄膜を形成することによって前記基板上に堆積させるステップと、
前記薄膜を有する前記基板を加熱することによって、前記基板上に金属ナノワイヤーを形成するステップと、
を含むことを特徴とする方法。
【請求項２６】
前記基板は、酸化ケイ素、酸化アルミニウム、酸化マグネシウム、ガラス、マイカ、シリコン、繊維ガラス、テフロン（登録商標）、セラミック、プラスチック、水晶及びこれらの混合物からなる群から選択される
ことを特徴とする請求項２５に記載の方法。
【請求項２７】
前記基板は、酸化ケイ素である
ことを特徴とする請求項２６に記載の方法。
【請求項２８】
前記加熱は、真空下で約５００℃から約６００℃の温度まで行われる
ことを特徴とする請求項２５に記載の方法。
【請求項２９】
前記薄膜は、約１μｍから約３０μｍの間の厚みを有する
ことを特徴とする請求項２５に記載の方法。
【請求項３０】
前記基板上に堆積した前記薄膜を加熱するステップは、約４５０℃から約５００℃の間の温度で前記有機金属層を空気に露出するステップを含む
ことを特徴とする請求項２５に記載の方法。
【請求項３１】
水素、ヘリウム、アルゴン、ネオン、クリプトン、キセノン及びこれらの混合物からなる群から選択される他のガスをさらに含有する
ことを特徴とする請求項３０に記載の方法。
【手続補正２】
【補正対象書類名】明細書
【補正対象項目名】００１０
【補正方法】変更
【補正の内容】
【００１０】
本発明は、金属ナノワイヤー及びナノ構造体の合成のための方法及びプロセスを提供する。一態様において、ナノワイヤーの合成方法は、基板を提供するステップと、基板上に有機金属層を堆積させるステップと、有機金属層を有する基板を加熱することによって基板上にナノワイヤーを形成するステップと、を含む。基板は、酸化ケイ素、酸化アルミニウム、酸化マグネシウム、ガラス、マイカ、シリコン、繊維ガラス、テフロン（登録商標）、セラミック、プラスチック、水晶又はこれらの混合物とすることができる。有機金属層は、鉄フタロシアニン、ニッケルフタロシアニン等といった金属フタロシアニンである。有機金属は、基板上に薄膜として堆積可能であり、空気の存在下で加熱されることによって、金属ナノワイヤーが形成される。
【手続補正書】
【提出日】平成21年9月16日(2009.9.16)
【手続補正１】
【補正対象書類名】特許請求の範囲
【補正対象項目名】全文
【補正方法】変更
【補正の内容】
【特許請求の範囲】
【請求項１】
（ａ）第１の成分が、ポリ（トリメチレンテレフタレート）を含み、（ｂ）第２の成分が、（ｉ）ポリ（トリメチレンテレフタレート）および（ｉｉ）ポリアルキレンエーテル繰り返し単位を含有するポリマーを含むポリマー組成物である複合繊維。
【請求項２】
請求項１に記載の複合繊維を含む織布、不織布、またはカーペット。
【請求項３】
（ａ）約９０〜１００重量％のポリ（トリメチレンテレフタレート）を含む第１の成分を提供する工程と、
（ｂ）第２の成分として、（ｉ）ポリ（トリメチレンテレフタレート）および（ｉｉ）ポリアルキレンエーテル繰り返し単位を含有するポリマーを含むポリマー組成物を提供する工程と、
（ｃ）前記第１の成分および前記第２の成分を紡糸および処理して、前記複合繊維を形成する工程とを含む、複合繊維を製造する方法。
【手続補正２】
【補正対象書類名】明細書
【補正対象項目名】０１６６
【補正方法】変更
【補正の内容】
【０１６６】
本発明の実施形態の前述の開示は、例示および説明のためになされた。これは、開示されたものだけに、本発明を包括的に示すものでも、限定しようとするものではない。本明細書に記載した多くの変形および変更は、開示内容に照らして、当業者には明白であろう。
次に、本発明の好ましい態様を示す。
1.  （ａ）第１の成分が、ポリ（トリメチレンテレフタレート）を含み、（ｂ）第２の成分が、（ｉ）ポリ（トリメチレンテレフタレート）および（ｉｉ）ポリアルキレンエーテル繰り返し単位を含有するポリマーを含むポリマー組成物である複合繊維。
2.  前記第１の成分が、前記第１の成分中の前記ポリマーの重量の約９０〜１００重量％のポリ（トリメチレンテレフタレート）を含む上記１に記載の複合繊維。
3.  前記第１の成分対前記第２の成分の重量比が、約３０：７０〜約７０：３０である上記１に記載の複合繊維。
4.  前記第２の成分が、約０．１〜約３０重量％の、ポリアルキレンエーテル繰り返し単位を含有するポリマーを含む上記１に記載の複合繊維。
5.  前記第２の成分が、前記第２の成分に用いる前記ポリマーの重量の約９９．９〜約７０重量％のポリ（トリメチレンテレフタレート）および前記第２の成分に用いる前記ポリマーの重量を基準にして約０．１〜約３０重量％の、前記ポリアルキレンエーテル繰り返し単位を含有するポリマーを含有する上記１に記載の複合繊維。
6.  （ａ）前記第１の成分が、約９５〜１００重量％のポリ（トリメチレンテレフタレート）を含み、前記ポリアルキレンエーテル繰り返し単位を含有するポリマーを含有せず、
（ｂ）前記第２の成分が、前記第２の成分に用いる前記ポリマーの重量の約９９．５〜約８０重量％のポリ（トリメチレンテレフタレート）および前記第２の成分に用いる前記ポリマーの重量を基準にして約０．５〜約２０重量％の、前記ポリアルキレンエーテル繰り返し単位を含有するポリマーを含有する上記１に記載の複合繊維。
7.  前記複合繊維が、並列複合繊維である上記１〜６のいずれか一項に記載の複合繊維。
8.  前記複合繊維が、鞘−芯型複合繊維である上記１〜６のいずれか一項に記載の複合繊維。
9.  上記１〜８のいずれか一項に記載の複合繊維を含む織布、不織布、またはカーペット。
10.  （ａ）約９０〜１００重量％のポリ（トリメチレンテレフタレート）を含む第１の成分を提供する工程と、
（ｂ）第２の成分として、（ｉ）ポリ（トリメチレンテレフタレート）および（ｉｉ）ポリアルキレンエーテル繰り返し単位を含有するポリマーを含むポリマー組成物を提供する工程と、
（ｃ）前記第１の成分および前記第２の成分を紡糸および処理して、前記複合繊維を形成する工程とを含む、複合繊維を製造する方法。